(57)【要約】【課題】媒体に記録された情報を管理する場合に、その記録状態がユーザに判りやすく表示できるようにする。【解決手段】所定の媒体に記録された情報の記録状態を表示させる場合に適用される。処理としては、媒体に記録された情報を、その情報の記録単位ごとに過去の作成時期又は使用時期を判断する時期判断処理を行う。そして、その時期判断処理で判断した記録単位ごとの時期に基づいて、媒体の記録容量の作成状況又は使用状況を時期別に分類する分類処理を行う。さらに、その分類処理での分類結果を、図形又は数値で表示させる表示信号を作成する表示処理を行う。【選択図】図６
2008287370.tif 000002
【特許請求の範囲】
【請求項１】
情報を記録する記録部の記録状態を表示させる表示制御装置において、
前記記録部に記録された情報を、その情報の記録単位ごとに過去の作成時期又は使用時期を判断する時期判断部と、
前記時期判断部で判断した記録単位ごとの時期に基づいて、前記記録部の記録容量の作成状況又は使用状況を時期別に分類する分類処理部と、
前記分類処理部での分類結果を図形又は数値で表示させる表示信号を作成する表示制御部とを備えたことを特徴とする
表示制御装置。
【請求項２】
請求の範囲第１項記載の表示制御装置において、
前記分類処理部での記録容量の分類は、空き容量を含めた分類であり、
前記表示制御部は、空き容量を含めた分類結果を表示させる表示信号を作成することを特徴とする
表示制御装置。
【請求項３】
請求の範囲第１項記載の表示制御装置において、
前記時期判断部が判断する記録情報は、予め指定された種類の記録情報であり、
前記表示制御部は、前記指定された種類の記録情報の時期別の分類結果を表示させる表示信号を作成することを特徴とする
表示制御装置。
【請求項４】
請求の範囲第１項記載の表示制御装置において、
前記時期判断部が判断する記録単位は、１つのコンテンツを、１つ又は複数のファイルとして記録した場合の、コンテンツの単位であり、
１つのコンテンツを構成する複数の内の少なくとも１つのファイルが使用された場合に、そのファイルが属するコンテンツを全て使用されたと前記時期判断部が判断して、その判断に基づいた分類結果の表示信号を前記表示制御部が作成することを特徴とする
表示制御装置。
【請求項５】
請求の範囲第４項記載の表示制御装置において、
前記コンテンツは、ビデオプログラムの記録単位であり、１単位のビデオプログラムを１つ又は複数のファイルとして前記記録部が記録した情報を、前記時期判断部が判断することを特徴とする
表示制御装置。
【請求項６】
請求の範囲第１項記載の表示制御装置において、
前記時期判断部が判断する記録単位は、１つのコンテンツを、１つ又は複数のファイルとして記録した場合の、コンテンツの単位であり、
１つのコンテンツを構成する複数の内の少なくとも１つのファイルが使用された場合に、そのファイルが属するコンテンツを全て使用されたと前記時期判断部が判断して、その判断に基づいた分類結果の表示信号を前記表示制御部が作成することを特徴とする
表示制御装置。
【請求項７】
請求の範囲第１項記載の表示制御装置において、
前記分類処理部での記録容量の分類は、情報の作成時と、情報のアクセス時と、情報の更新時と、情報の変更時との内の最新の日又は時間と、現在の日又は時間との差の時間による分類であることを特徴とする
表示制御装置。
【請求項８】
所定の媒体に記録された情報の記録状態を表示させる表示制御方法において、
前記媒体に記録された情報を、その情報の記録単位ごとに過去の作成時期又は使用時期を判断する時期判断処理と、
前記時期判断処理で判断した記録単位ごとの時期に基づいて、前記媒体の記録容量の作成状況又は使用状況を時期別に分類する分類処理と、
前記分類処理での分類結果を、図形又は数値で表示させる表示信号を作成する表示処理とを行うことを特徴とする
表示制御方法。
【請求項９】
所定の媒体に記録された情報の記録状態を表示させる表示処理を実行するプログラムにおいて、
前記プログラムの実行により行われる処理として、
前記媒体に記録された情報を、その情報の記録単位ごとに過去の作成時期又は使用時期を判断する時期判断処理と、
前記時期判断処理で判断した記録単位ごとの時期に基づいて、前記媒体の記録容量の作成状況又は使用状況を時期別に分類する分類処理と、
前記分類処理での分類結果を、図形又は数値で表示させる表示信号を作成する表示処理とを行うことを特徴とする
プログラム。
【発明の詳細な説明】
【技術分野】
【０００１】
本発明は、例えば、ハードディスクの如き情報記録部が内蔵又は装着された情報処理装置や、ビデオレコーダの如き大容量情報記録再生装置に適用して好適な表示制御装置、及びそれらの装置に適用される表示制御方法、並びにその表示制御方法を情報処理装置に実装して実行させるプログラムに関する。
【背景技術】
【０００２】
従来、ハードディスクや半導体メモリなどの記録手段（記憶手段）を情報記録媒体(記憶媒体)として使用した情報処理装置が、パーソナルコンピュータ装置などとして各種実用化されている。コンピュータ装置の場合には、そのコンピュータ装置が扱うプログラム情報などの情報の他に、そのコンピュータ装置でダウンロードされたテキスト情報、ビデオ情報（画像情報）、オーディオ情報などの様々な情報が記録される。
なお、半導体メモリなどの一部の種類の媒体に情報を格納する場合には、その媒体に情報を格納することを記憶と称するが、本明細書で記録と述べた場合には記憶も含まれる。
【０００３】
ハードディスクや半導体メモリなどの記録媒体については、技術の進歩や普及による低コスト化などで、その記録容量が増大する傾向にある。従って、例えばコンピュータ装置が内蔵するハードディスクや半導体メモリの容量については、近年非常に大容量化する傾向にある。同様に、ビデオレコーダの場合にも、そのレコーダが内蔵するハードディスクや半導体メモリの容量についても大容量化する傾向にある。
【０００４】
そのように大容量の記録容量を備えるようになると、記録媒体の使用状況をユーザに告知することが重要になっている。
【特許文献１】特開２００６−３０２０１２号公報
【発明の開示】
【発明が解決しようとする課題】
【０００５】
従来の記録媒体の使用状況に関するユーザへの告知としては、例えば媒体が備える記録容量の内の使用率を、表示部に表示させることが知られている。特許文献１には、リムーバブルメディアを装着可能な情報機器において、その装着されたリムーバブルメディアの使用率を表示させる点についての記載がある。
【０００６】
しかしながら、前述したように、記録容量の大容量化を考えると、単に使用率を表示するだけでは、ユーザにとって必ずしも有益な表示を行っているとは言えない状況であった。特に、記録される情報のファイル数が多くなると、記録された容量やファイル数だけでは不十分であった。
【０００７】
本発明はこれらの点に鑑みてなされたものであり、媒体に記録された情報を管理する場合に、その記録状態がユーザに判りやすく表示できるようにすることを目的とする。
【課題を解決するための手段】
【０００８】
本発明は、所定の媒体に記録された情報の記録状態を表示させる場合に適用される。
その処理としては、媒体に記録された情報を、その情報の記録単位ごとに過去の作成時期又は使用時期を判断する時期判断処理を行う。そして、その時期判断処理で判断した記録単位ごとの時期に基づいて、媒体の記録容量の作成状況又は使用状況を時期別に分類する分類処理を行う。さらに、その分類処理での分類結果を、図形又は数値で表示させる表示信号を作成する表示処理を行うようにしたものである。
【０００９】
このようにしたことで、表示処理で作成された表示信号を所定のディスプレイなどに表示させることで、媒体に記録された情報が、その作成時期ごと又は使用時期ごとに分類されて表示されることになる。従って、作成又は記録してからどの程度経過した情報が媒体に記録されているのかについてや、その記録された情報にアクセスなどの処理をしてからの経過時間の傾向が、表示から簡単に判るようになる。
【発明の効果】
【００１０】
本発明によると、媒体に記録された情報が、どの程度の時間が経過したのかの傾向が表示から簡単に判るようになる。例えば、ユーザが媒体の記録情報を整理する場合に、どの程度の情報量やファイル数を削除する必要があるかなどが、表示から簡単に判断できるようになる。
【発明を実施するための最良の形態】
【００１１】
以下、本発明の一実施の形態の例を、図１〜図９を参照して説明する。
本実施の形態の例においては、パーソナルコンピュータ装置として構成された情報処理装置に適用したものである。図１は本例の情報処理装置１０の構成例を示した図である。情報処理装置１０は、中央制御ユニット（ＣＰＵ）１１を備え、ＣＰＵ１１には、内部バス１８を介してメモリ１２が接続してある。メモリ１２には、ＯＳやアプリケーションプログラムなどが記憶されて、そのＯＳやアプリケーションプログラムが、ＣＰＵ１１の制御で実行されて、コンピュータ装置として必要な情報処理が実行される。またＣＰＵ１１は、時計機能を備えて、現在時刻を管理する構成としてある。
【００１２】
内部バス１８には、入出力処理部１３を介してハードディスク記録部１４と光ディスクドライブ部１５とが接続してある。ハードディスク記録部１４が備える記録媒体としてのハードディスクの記録や再生や、光ディスクドライブ部１５に装着された記録媒体としての光ディスクの記録や再生は、ＣＰＵ１１の制御で実行される。ハードディスク記録部１４は、例えば数十Ｇバイト〜数百Ｇバイトの記録容量のハードディスクを記録媒体として使用した大容量の記憶手段である。光ディスクドライブ部１５は、例えばＤＶＤ規格やＣＤ−ＲＯＭ規格などの光ディスクが着脱自在に装着されるドライブ部である。ハードディスク記録部１４では、ＯＳ，アプリケーションプログラムなどの各種プログラムが記録されるとともに、ダウンロードした各種情報（ビデオ情報やオーディオ情報などのコンテンツ情報、テキスト情報など）や、この情報処理装置での処理で作成された情報についても記録され、その記録情報が必要により再生される。光ディスクドライブ部１５でも、光ディスクに対して各種情報が記録され再生される。
【００１３】
また、入出力処理部１３には、入力デバイス１６と表示デバイス１７とが接続してある。入力デバイス１６としては、キーボードやポインティングデバイス（マウスなど）などが接続される。表示デバイス１７としては、液晶ディスプレイなどの比較的大型の画像表示手段が接続される。これらの入力デバイス１６や表示デバイス１７は、例えば本例の情報処理装置１０がノート型のパーソナルコンピュータ装置の場合には、筐体内に一体に内蔵された構成である。また、情報処理装置１０がデスクトップ型のパーソナルコンピュータ装置の場合には、情報処理装置１０本体を構成する筐体とは別体で、キーボードや液晶ディスプレイなどが用意されて、接続される。
【００１４】
表示デバイス１７での表示を行うために、ＣＰＵ１１の制御により、情報処理装置１０本体内の入出力処理部１３で、ディスプレイで表示させる画像や情報に基づいた表示信号が作成される。そして、その表示信号がディスプレイ（表示デバイス１７）に入力されて、ディスプレイで対応した画像や情報の表示が行われる。表示デバイス１７が一体の場合と別体の場合とで、基本的な処理は同じであるが、別体の場合には、入出力処理部１３で表示信号を伝送用の決められた規格の画像信号として表示デバイス１７に送る必要がある。
【００１５】
そして、本例の情報処理装置１０が備えるＣＰＵ１１は、ハードディスク記録部１４が備える記録媒体であるハードディスクに記録された情報を管理する機能を備える。その管理機能は、例えば管理用のアプリケーションプログラムがハードディスクからメモリ１２に読み出されて、そのプログラムをＣＰＵ１１が実行することで行われる。光ディスクドライブ部１５に装着された光ディスクなどの他の記録媒体についても、同様に管理が行える。本例では、ハードディスクなどの記録媒体の情報管理機能の１つとして、記録媒体（ハードディスク，光ディスク）の使用量の表示機能を備える。記録媒体の使用量の表示機能の詳細については、後述する。
【００１６】
次に、図２を参照して、図１に示した構成の情報処理装置１０のハードディスク記録部１４内のハードディスクに情報を記録する場合の、データ構造例について説明する。本例の場合には、情報をコンテンツという記録単位で管理するようにしてある。ここでのコンテンツとは、例えばビデオ情報のコンテンツである場合には、１つのビデオプログラム（例えば１本の映画タイトルや番組）ごとに、１つのコンテンツが構成される。オーディオ情報やテキスト情報などについても、それぞれの情報単位ごとに１つのコンテンツが構成される。１つのコンテンツの情報量については、各コンテンツで異なるものである。例えば、長時間のビデオプログラムの場合には、１つのコンテンツが比較的大きな容量となる。
【００１７】
一方、ハードディスクに情報を記録する場合には、一定の情報量ごとにファイル構造で記録するようにしてある。従って、１つのコンテンツの情報が、複数のファイルに分割されて記録されることもある。例えば、ビデオプログラムの場合には、１つのチャプタごとに１つのファイルが構成される。１つのコンテンツの情報量が少ない場合には、１つのコンテンツが１つのファイルで構成される場合もある。また、１つのコンテンツを構成するデータが、複数種類のデータで構成される場合には、そのデータ種類ごとにファイルが構成される場合もある。例えば、１つのコンテンツを構成するビデオプログラムの場合に、ビデオデータ（画像データ）とオーディオデータと付加データ（テキストデータなど）が、それぞれ別のファイルで構成される場合もある。
【００１８】
これらの各コンテンツのファイル構造などのデータ構造は、ＣＰＵ１１の制御で管理されるデータ構造である。ハードディスクには、各種情報を構成するコンテンツ情報そのものが記録されるだけでなく、そのコンテンツ情報を管理するコンテンツ管理情報についても、予め用意された管理領域に記録される構成としてある。管理情報については、ハードディスクではなくメモリ１２に記録させるようにしてもよい。
【００１９】
図２に示すように、コンテンツ管理領域については、各コンテンツの作成時刻（又は記録時刻）、アクセス時刻、更新時刻、変更時刻などのコンテンツを扱った際の時刻情報と、コンテンツのタイトルなどのメタデータ情報と、コンテンツの属性などの情報と、コンテンツが有するファイルに関する情報などが記録される。各ファイルやコンテンツの情報量などについても記録される。コンテンツの作成時刻は、コンテンツを作成して媒体に記録した日時である。コンテンツのアクセス時刻は、そのコンテンツを媒体から再生して表示などを行った日時である。更新時刻は、媒体に記録されたコンテンツを読み出して、コンテンツそのものの内容について修正などを行った日時である。変更時刻は、媒体に記録されたコンテンツのタイトルなどの情報を修正した日時である。これらの時刻の定義は一例である。
【００２０】
図２の例では、コンテンツＸがファイルＡ，Ｂの２つのファイルで構成され、コンテンツＹがファイルＣ，Ｄの２つのファイルで構成された例としてある。これらのファイル構成については、コンテンツ管理領域のファイル情報で示される。
【００２１】
次に、本例の情報処理装置１０のハードディスク記録部１４が備えるハードディスクの記録容量の使用量を表示するための処理例について説明する。
まず、ハードディスクの使用量を表示するために、使用量の検索条件を設定する処理が行われる。この処理は、例えば、ハードディスクの記録容量の使用量を表示させるためのプログラムを実行させることで、表示デバイス１７に設定画面が表示され、その設定画面中の各設定項目を、キーボードなどの入力デバイス１６のユーザによる操作で入力することで、設定される。
【００２２】
図３のフローチャートは、記憶容量の検索条件の設定例を示したフローチャートである。まず、ハードディスクの記憶容量の使用量を表示する場合に、空き容量を含めた表示を行うか否かをユーザに選択させる（ステップＳ１）。
次に、使用量の表示形態として、ファイル単位での使用量の表示か、或いはコンテンツ単位での使用量の表示かをユーザに選択させる（ステップＳ２）。コンテンツ単位での使用量の表示を行うことが選択された場合には、各コンテンツが複数のファイルで構成されているとき、その複数のファイルの内の指定された項目についての最新の日時を、検索する日時として使用する。従って、本例の場合には、例えば「アクセス」が指定されて、１つコンテンツ中の１つのファイルだけがアクセスされた場合に、そのアクセスされた日時に、そのコンテンツ中の他のファイルについても同時にアクセスされたものとして扱われる。
さらに、使用量を検索する基準時として、ファイル又はコンテンツが作成された日時か、更新された日時か、アクセスされた日時か、いずれを基準にするのかをユーザに選択させる（ステップＳ３）。なお、図３の選択を行う順序は一例であり、この順序である必要はない。
【００２３】
図４は、この選択処理を行う表示画面の例を示した図である。この例では、図３のフローチャートでの各選択処理が、１つの画面で行えるようにした例である。即ち、「空き容量なし」と「空き容量あり」とを選択するようにしてあり、また、「ファイル単位」と「コンテンツ単位」とを選択するようにしてある。また、「作成」、「更新」、「アクセス」、「いずれか最新」を基準時として選択できるようにしてある。「いずれか最新」を選択した場合には、１つのファイル又はコンテンツに対して記録された「作成」、「更新」、「アクセス」などの日時の内で、最新の日時を基準として利用する処理が行われる。
また、記録媒体の選択として、「ドライブ」の選択ができるようにしてある。ハードディスクなどの１組の記録媒体が、複数の記録容量部に分割されている場合には、その記録容量単位での選択ができるようにしてもよい。
さらに、図４の例では、「実行」のボタンについても表示させてあり、その「実行」のボタンの表示箇所が選択されるユーザ操作があると、画面中で選択された条件での使用量の検索が実行される。
【００２４】
図５のフローチャートは、検索処理及び検索結果の表示処理を示したものである。この図５のフローチャートの処理についても、ＣＰＵ１１の制御で実行される。まずＣＰＵ１１は現在時刻（日時）を取得する（ステップＳ１１）。次に図４に示した画面での選択処理で指定された記録媒体（デバイス）の全体の記録容量と、情報を記録した使用量と、空き容量を取得する（ステップＳ１２）。これらの情報は、図２に示したコンテンツ管理領域から判断することができる。或いは、ハードディスク上の情報の記録状態から、直接的に判断してもよい。
【００２５】
次に、指定された記録媒体が情報記録に使用されているか否か判断する（ステップＳ１３）。ここで使用されていなと判断した場合には、指定された記録媒体（デバイス）が使用されていないことを示す表示情報を作成して（ステップＳ２０）、その表示情報による表示信号を表示デバイス１７に供給して、該当する情報を表示させる（ステップＳ１９）。
【００２６】
ステップＳ１３で指定されたデバイスが使用されていると判断した場合には、検索する種類がファイルである場合には、そのファイルについての、指定された種類の基準時の情報を取得する（ステップＳ１４）。検索する種類がコンテンツである場合には、そのコンテンツの指定された種類の基準時の情報を取得する。例えば、「作成」が指定された場合には、記録媒体が記録した各情報が作成された日時の情報を取得する。いずれか最新の日時が選択された場合には、その最新の種類を問わず、そのファイル又はコンテンツについてのファイル管理情報（又はコンテンツ管理情報）として記録された最新の日時の情報を取得する。
【００２７】
取得した日時の情報は、現在時刻との日時の差がＣＰＵ１１で計算される（ステップＳ１５）。計算された差の時間により、複数種類に分類されて、その分類された種類ごとにファイル数又はコンテンツ数が積算される（ステップＳ１６）。各ファイル又はコンテンツの情報量についても、分類された種類ごとに積算される。ここでの分類としては、例えば、現在時刻から１週間以内、１週間から１ヶ月、１ヶ月から半年、半年から１年、１年から２年、２年以上の６種類に分類する。
【００２８】
これらの分類ごとの積算が行われた後に、指定された記録媒体に、まだ積算していないファイル又はコンテンツが存在するかを判断し（ステップＳ１７）、積算していないファイル又はコンテンツが存在する場合には、ステップＳ１４の判断に戻る。
ステップＳ１７で、指定された記録媒体中の全てのファイル又はコンテンツが積算されたと判断した場合には、積算情報に基づいて表示情報が作成される（ステップＳ１８）。その作成された表示情報による表示信号を、表示デバイス１７に出力して、表示デバイス１７の画面に積算結果を表示させる（ステップＳ１９）。
【００２９】
図６，図７，図８は、それぞれ使用量の積算結果の表示例を示した図である。本例の場合には、使用量の積算結果を、分類区分ごとに記録容量値とファイル数（又はコンテンツ数）を数値で表示させると共に、記録容量値に対応した比率の図形でも表示させてある。記録容量値は、パーセントでも表示させてある。なお、図６〜図８の表示例については、表示態様の例を説明したものであり、容量値やパーセントの値及び図形で示された比率は、必ずしも正確であるとは限らない。
【００３０】
各例について説明すると、図６は、ファイル単位での検索を指定して、アクセス日時を基準として検索した結果である。さらに図６では、空き容量についても表示させることを選択した例である。記録容量値のパーセント表示についても、空き容量を含めたパーセントを表示させてある。
【００３１】
図７は、ファイル単位での検索を指定して、アクセス日時を基準として検索した場合の、空き容量を含めない表示を行った例である。空き容量を含めない表示としてあるので、記録情報の容量の合計で１００パーセントとなるようにしてあり、図６の例とは容量が同じであるのに、各分類区分のパーセント値が異なる値となっている。即ち、空き容量を含めないために、それだけパーセント値が高くなっている。
【００３２】
図８は、コンテンツ単位での検索を指定して、アクセス日時を基準として検索した場合の、空き容量を含めた表示を行った例である。図８の例は、図６や図７と同じ記録媒体（ハードディスク）を検索した場合を想定している。この例では、コンテンツ単位であるので、１つのコンテンツが複数のファイルで構成される場合があるため、図６や図７のファイル単位の値よりも数（コンテンツ数）は少なくなっている。しかしながら、アクセス時については、１つのコンテンツに属するファイル中の１つのファイルでもアクセス時が更新されると、この更新日時をコンテンツの更新時として扱うので、各分類期間にアクセスされた情報量の総計については、増減がある。空き容量自体は、ファイル単位でもコンテンツ単位でも同じである。
【００３３】
このようにして、ハードディスクなどの記録媒体の使用状態を、アクセス時などの指摘された種類の日時で分類して表示させることができることで、その記録媒体についての使用状態の詳細を、ユーザは表示から確認することができる。例えば、空き容量が少ないことを確認した上で、空き容量を増やす処理が必要と判断した場合に、２年以上まえにアクセスした情報（即ち２年間アクセスがない情報）がどの程度存在するか、表示から簡単に判断できる。その２年間アクセスがない情報を削除すれば、どの程度の空き容量が増えるのかが、簡単に判断できる。さらに、ファイル単位での検索と、コンテンツ単位での検索との双方が行えるので、例えばビデオプログラムのようにコンテンツ単位で扱うことが好ましい情報の種類が多い場合には、コンテンツ単位での傾向がわかり、テキスト情報などのようにファイル単位で扱うことが好ましい情報の場合には、ファイル単位での傾向がわかり、媒体に記録された情報の種類に応じてユーザが適切なものを選択して、検索させることが可能となり、情報の種類などに合わせた良好な分類や表示が可能となる。
【００３４】
なお、ここまでの説明では、記録媒体としてハードディスクを例にして説明したが、例えば光ディスクドライブ部１５に装着された光ディスクの記録情報を、同様に検索し分類して表示させてもよい。また、情報処理装置１０として、メモリカードなどの大容量の半導体メモリが装着可能である場合には、その半導体メモリの記録（記憶）情報を同様に検索し分類して表示させてもよい。
【００３５】
また、ここまでの説明では、記録媒体に記録された情報の種類については、検索する際に特に判断せず、媒体に記録された全てのファイルを扱うようにしたが、例えば、コンテンツの種類を図４などの画面でユーザに選択させて、その選択画面で指定されたファイルだけを分類するようにしてもよい。
【００３６】
例えば図９のフローチャートに示すように、コンテンツの種類別の分類及び検索を行うのかユーザに選択させ（ステップＳ２１）、該当する選択がある場合には、コンテンツの選択画面を表示させる（ステップＳ２２）。ここでの選択画面としては、例えば、「ビデオ情報」、「静止画像情報」、「オーディオ情報」、「テキスト情報」、「プログラム情報」などのファイルの種類を選択させる画面を表示させる。
その画面で選択があると（ステップＳ２３）、その選択された情報が記録されたファイル又はコンテンツだけを検索して分類し、その分類結果を図６〜図８のように表示させる（ステップＳ２４）。
このようにして情報の種類を指定して検索した結果を表示させることで、より的確な使用量の表示が可能となる。
【００３７】
また、ここまでの例では、パーソナルコンピュータ装置などの情報処理装置が備えるハードディスク記録部の記録情報についての検索と分類と表示を行う例としたが、その他の大容量の情報記録部を備えた各種電子機器について、同様の処理を行うようにしてもよい。
図１０は、ハードディスク記録部を備えたビデオレコーダの構成例を示した図である。図１０に従って構成を説明すると、ビデオレコーダ２０は、入力端子２１がチューナ２２に接続してあり、チューナ２２で放送信号を受信する。受信した信号がＭＰＥＧ方式でない場合には、ＭＰＥＧエンコーダ２３でＭＰＥＧ２方式などに変換する。ＭＰＥＧ方式の映像データやオーディオデータは、中央制御ユニット（ＣＰＵ）３１の制御で、ハードディスク記録部２４に記録させる。記録させる際には、各データはコンテンツ単位で記録するようにしてある。ここでのコンテンツとは、例えば１映像プログラムを１コンテンツとして扱うようにしてある。記録された映像データやオーディオデータを再生する際には、ＣＰＵ３１の制御でハードディスク記録部２４から再生された映像データやオーディオデータは、ＭＰＥＧデコーダ２６でＭＰＥＧ方式からのデコードが行われ、そのデコードされたデータが出力部２７で所定の出力方式の映像信号や音声信号とされて、出力端子２８から出力させる。出力された映像信号や音声信号は、図示しない受像機に供給して映像を表示させ音声を出力させる。
なお、ビデオレコーダ２０は、光ディスクドライブ部２５も備え、光ディスクドライブ部２５でも情報を記録し再生することができる。
【００３８】
ＣＰＵ３１は、内部バス２９を介してメモリ３２と接続させてあり、各種制御処理時にメモリ３２を使用して処理する。また表示部３３を備え、ＣＰＵ３１の制御で各種情報の表示が行われる。さらに、操作部３４での操作状況をＣＰＵ３１が判断して、各種動作制御を行う。なお、表示部３３については、比較的簡単な表示手段であり、後述する分類結果表示については、ＣＰＵ３１から出力部２７に表示情報を供給して、文字や図形による詳細な表示を接続された受像機で行うようにしてある。
【００３９】
このように構成されたビデオレコーダ２０で、ハードディスク記録部２４に記録された情報（ビデオプログラム）を、上述した図５のフローチャートなどで説明した処理で検索して分類した結果を表示させた例が、図１１である。この例では、ビデオプログラムの数をタイトル数として示してあり、記録してから１週間以内、１週間から１ヶ月以内、１ヶ月から半年以内、半年から１年以内、１年から２年以内、２年以上に分類してあり、それぞれの容量値、パーセント値、タイトル数を表示させてあり、図形でも示してある。また、ビデオプログラム以外のコンテンツの記録に使用された容量にパーセント値についても表示させてある。さらに、ハードディスクの空き容量とパーセント値についても表示させてある。
この図１１に示した表示が行われることで、ビデオレコーダが備える大容量記録手段の使用状態が良好に判るようになる。
【００４０】
なお、この図１１に示すような表示を行う場合において、例えば図１２に示すように、各分類項目の後などに、情報（ビデオプログラム）の削除を選択する表示を行うようにしてもよい。そして、ユーザ操作でいずれかの分類項目についての削除が選択された場合に、削除実行のボタンが操作されることで、該当する分類区分の記録情報をハードディスクなどの媒体から削除するようにしてもよい。このように削除できることで、例えば図１２に示した使用状況の分類結果が表示された状態で、１年以上前に記録されたビデオプログラムを削除させる等の処理が、画面上での操作で簡単に行え、より利便性が向上する。
【００４１】
さらに本発明は、図１に示した情報処理装置や図１０に示したビデオレコーダ以外の電子機器が備える情報記録部の使用状況表示にも適用可能である。例えば、ポータブルオーディオ再生装置がハードディスクや半導体メモリなどの大容量情報記録部を備える場合に、そのポータブルオーディオ再生装置を、図１に示した情報処理装置（コンピュータ装置）に接続させて、その情報処理装置からの制御で、ポータブルオーディオ再生装置内の記録媒体の記録情報を判断して分類して、同様に表示させるようにしてもよい。
【００４２】
また、コンピュータ装置などの既存の情報処理装置などに、本発明の処理を実行するプログラム（ソフトウェア）をインストールして、上述した処理を実行するように構成させてもよい。
【図面の簡単な説明】
【００４３】
【図１】本発明の一実施の形態による情報処理装置の構成例を示すブロック図である。
【図２】本発明の一実施の形態によるデータ構造例を示す説明図である。
【図３】本発明の一実施の形態による記録容量の検索条件の設定例を示すフローチャートである。
【図４】本発明の一実施の形態による検索条件の設定画面の例を示す説明図である。
【図５】本発明の一実施の形態による分類及び表示処理例を示すフローチャートである。
【図６】本発明の一実施の形態による容量の表示例（例１）を示す説明図である。
【図７】本発明の一実施の形態による容量の表示例（例２）を示す説明図である。
【図８】本発明の一実施の形態による容量の表示例（例３）を示す説明図である。
【図９】本発明の他の実施の形態による分類コンテンツの選択例を示すフローチャートである。
【図１０】本発明の他の実施の形態による装置構成例（ビデオレコーダの例）を示すブロック図である。
【図１１】図１０の例による容量の分類結果の表示例（例１）を示す説明図である。
【図１２】図１０の例による容量の分類結果の表示例（例２）を示す説明図である。
【符号の説明】
【００４４】
１０…情報処理装置、１１…中央制御ユニット（ＣＰＵ）、１２…メモリ、１３…入出力処理部、１４…ハードディスク記録部、１５…光ディスクドライブ部、１６…入力デバイス、１７…表示デバイス、１８…内部バス、２０…ビデオレコーダ、２１…入力端子、２２…チューナ、２３…ＭＰＥＧエンコーダ、２４…ハードディスク記録部、２５…光ディスクドライブ部、２６…ＭＰＥＧデコーダ、２７…出力処理部、２８…出力端子、２９…内部バス、３１…中央制御ユニット（ＣＰＵ）、３２…メモリ、３３…表示部、３４…操作部
【図１】
2008287370.tif 000003
【図２】
2008287370.tif 000004
【図３】
2008287370.tif 000005
【図４】
2008287370.tif 000006
【図５】
2008287370.tif 000007
【図６】
2008287370.tif 000008
【図７】
2008287370.tif 000009
【図８】
2008287370.tif 000010
【図９】
2008287370.tif 000011
【図１０】
2008287370.tif 000012
【図１１】
2008287370.tif 000013
【図１２】
2008287370.tif 000014